(57)【要約】      （修正有）【課題】集中豪雨時の大量の雨水が処理でき、かつ効率のよい雨水採取を実現するとともに、安価で簡便な雨水採取装置を提供する。【解決手段】立樋１ａを流下する雨水を傾斜板２ｃによって上開口流路４ａに集合させ、傾斜板に交差するように傾斜させて備えたフィルタ２ｅがあり、立樋を流下する雨水の全量がフィルタに流対する構造とし、かつ、異物の排出や、集中豪雨に対応できる下開口流路４ｂを備えている。また、低コスト化を実現するため、上継手部材２ｂ、管体部材２ｄ、下継手部材２ｇなど、雨水採取器の本体を構成する部材の多くを、量産普及している安価な市販の継手部材を転用し、取り付けも簡便な構造である。【選択図】図１
0003154514.tif 000002
【実用新案登録請求の範囲】
【請求項１】
立樋と、立樋を流下する雨水を採取する雨水採取器と、雨水を貯める貯留槽と、採取器と貯留槽を連結して雨水を貯水槽に導く導管などからなる雨水貯水設備における雨水採取器において、
立樋を流下する雨水が、傾斜面によって立樋の傾斜下方の開口部側に整流され、開口部から下方に雨水を流下させる傾斜板と、
雨水に含まれる異物を除去するフィルタであって、前記開口部の下方に傾斜板に交差する角度で傾斜し、雨水が前記開口部から流下してフィルタに当たるよう配置され、かつ前記開口部の面積より大きく、立樋を流下する雨水全量がフィルタに当たり、異物を除去して立樋の下方へと流し出すことを妨げない開口部を有したフィルタと、
フィルタが濾過した雨水を導管に導く継手部を有する貯水部などからなり、おおよそ立樋の一部をなすことを特徴とする雨水採取器。
【請求項２】
前記の雨水採取器は、
立樋を雨水採取器本体とおおよそ同じ長さに切断し、
切断した上部の立樋には、同軸で外周を覆うよう固定用部材を挿入し、
切断した下部の立樋には、雨水採取器本体と立樋を、漏水なくはめ合うよう同軸に接続し、
上記固定部材を、採取器本体と漏水なくはめ合うよう同軸に接続して、固定部材と雨水採取器本体は一体化し、かつ立樋の一部をなし、
固定部材のネジ部品等により、立樋と雨水採取器は、脱着可能に固定されていること特徴とする請求項１に記載の雨水採取器。
【請求項３】
前記の傾斜板は、
固定部材と同軸に接続し下方にメスのはめ合い部を持つ上継手部材と、
フィルタの外筒をなし、上継手部材に挿入されて、はめ合い接続する管体部材に、軸直角に挟みこまれて固定され、
上継手部材と管体部材の脱着によって、傾斜板の組込と取り外しが容易であることを特徴とする請求項１または請求項２に記載の雨水採取器。
【請求項４】
前記の貯水部は、
傾斜したフィルタの直下に位置して雨水を貯水し、
上記管体部材を挿入し、漏水なく同軸にはめ合う接続部と、
切断した下部の立樋を挿入し、漏水なく同軸にはめ合う接続部と、
導管を接続する継手部を有した下継手部材と、
貯水部の底面と貯水する壁面をなす貯水板からなり、
貯水板は、管体部材と下継手部材とに軸直角に挟みこまれて固定され、
管体部材と下継手部材の脱着によって、貯水板の組込と取り外しが容易であることを特徴とする請求項１または請求項２または請求項３に記載の雨水採取器。
【考案の詳細な説明】
【技術分野】
【０００１】  この考案は雨水有効活用のために立樋に設置して用いられる雨水採取器に関するものである。
【背景技術】
【０００２】  近年、地球温暖化防止のために有効活用が推進される雨水利用において、屋根や雨樋に堆積した葉や土埃などの異物が、雨水貯留槽内に沈殿し、雨水利用の障害になり、メンテナンスの必要が生じたりする。
この問題を解決するため、立樋の雨水取水口付近にフィルタを設け、異物を除去し、フィルタを通過した雨水を貯水槽に導く技術が確立しつつある。【０００３】  しかし、集中豪雨等による大量の雨水を立樋に流下させるためには、十分な面積の自由流路が必要である。
一方、雨水を確保するためには、自由流路を最小とし、立樋中の取水面積を大きくしなければならず、自由流路面積の拡大と、雨水の採取効率向上は相反するものと考えられてきた。
また、一般家庭での雨水利用促進のためには、特殊な技能がなくとも取り付け可能で、簡便な雨水採取器であって、かつ低コストであることが望まれている
【考案の開示】
【考案が解決しようとする課題】
【０００４】  この考案は上記の技術的背景に基づいてなされたものであり、集中豪雨時の大量の雨水が処理でき、かつ効率のよい雨水採取を実現するとともに、安価で簡便な雨水採取装置の提供を課題としている。
【課題を解決するための手段】
【０００５】  この考案は上記課題を解決するために次のような手段をとる。
立樋内に雨水が集中して流下する開口部を設け、傾斜板を用いて、開口部に雨水を導く。
開口部の下方に傾斜したフィルタを設け、立樋を流下する雨水が流対する位置にフィルタを設ける。
フィルタは立樋の全断面を覆わず、必要な開口部を残すが、立樋を通過する雨水は全量フィルタに流対する構造である。
また、雨水採取装置の部品の多数を、立樋に関連して大量生産されている継手部材等を利用して、コスト低減を図り、立樋への設置やメンテナンスも極めて容易である。
【考案の効果】
【０００６】  この考案の提供により、集中豪雨時の大量の雨水が処理でき、かつ効率のよい雨水採取を実現するとともに、安価で簡便な雨水採取装置の提供でき、雨水利用および地球温暖化防止に関し、極めて有効な結果効果を得ることができる。
【考案を実施するための最良の形態】
【０００７】  この考案の実施の形態を、図面を参照しながら以下に説明する。
図１は、この考案の雨水採水器の構造を示す図である。
１ａは切断した立樋の上部で、固定部材２ａが、固定ネジ３ａで固定されている。
２ｂは上継手部材で、固定部材２ａと管体部材２ｄが、漏水しないように、はめ合い接続している。このはめ合い部には、傾斜板２ｃを挟みこんで設け、上部より立樋の断面をランダムに流下してくる雨水を、上開口流路４ａに集中流下させる。
管体部材２ｄは、雨水の流路を形成し、内部にフィルタ２ｅが傾斜して設けられ、傾斜板によって上開口流路４ａから流下する雨水が、全量流対する。
フィルタ２ｅは、上部を、管体部材２ｄに、上止めネジ３ｂと上ナット３ｃによって固定され、下部を、貯水板２ｆに、下止めネジ３ｄと下ナット３ｅによって固定されている。
２ｇは下継手部材で、管体部材２ｄと切断した立樋の下部１ｂを、漏水しないように、はめ合い接続している。このはめ合い部には、貯水板２ｆを挟みこんで固定し、フィルタを通過した雨水は、固定板の貯水高さＨまで貯水することができ、取水流路４ｃから、図示しない導管を経由して、やはり図示しない雨水貯留槽に雨水を送水する。
４ａは傾斜板によって集中した雨水が流下する上開口流路、４ｃは異物等が流れ落ちる下開口流路である。
なお、Ａ矢視の図は、雨水採取器を図中Ａの位置で下方を見た平面図、Ｂ矢視の図は、雨水採取器を図中Ｂの位置で下方を見た平面図である。
この実施形態では、管体部材２ｄは、立樋１よりも大径であり、上開口流路４ａ、下開口流路４ｂともに、立樋１の断面積と同等に設定してある。このため、集中豪雨の発生時も、雨水採取器を取り付けたことによる不具合はない。【０００８】  図２は、この考案の雨水採取器の部品の構成を示した図である。
傾斜板２ｃは、上継手部材２ｂと管体部材２ｄに挟みこんで固定し、貯水板２ｆは、管体部材２ｄと下継手部材２ｇとに挟みこんで固定する。
フィルタは、上止めネジと上ナットによって、管体部材２ｄに固定され、下止めネジと下ナットによって貯水板２ｆに固定する。
この実施形態では、量産普及している排水用硬質塩化ビニル管継手（ＪＩＳ  Ｋ６７３９）における同径継手（ソケット）や異径継手（インクリーザ）を使用し、簡便に漏水のない脱着可能な接続としている。このため、安価でかつ、メンテナンスも容易である。
【実施例】
【０００９】  図３は、この考案の雨水採取器を立樋に組み込む手順を示した図である。
立樋１において、破線によって示される立樋の切断部１ｃを切断除去する。
切断後の立樋の上部が１ａで下部が１ｂである。
このとき、切断部１ｃの長さは、雨水採取器本体２の長さより、やや長いことが望ましい。
切断した立樋の上部１ａに、その外周をなす固定部材２ａを挿入し、同時に切断した立樋の下部１ｂに雨水採取器本体２を挿入する。
固定部材２ａを雨水採取器本体２に接続し、固定ネジ３ａで、切断した立樋の上部１ａと固定し、雨水採取器は立樋の一部をなした状態で、組み込み作業が完了する。【００１０】  図４は、この考案の傾斜板２ｃの実施例であり、ステンレスの薄板を折り曲げて形成した。【００１１】  図５は、この考案の貯水板２ｆの実施例であり、ステンレスの薄板を折り曲げて形成した。【００１２】  図１から図３において、この考案に使用される上下の継手部材２ｂと２ｇ、固定部材２ａ、管体部材２ｄは、量産普及した市販の配管材料である排水用硬質塩化ビニル管継手（ＪＩＳ  Ｋ６７３９）における同径継手（ソケット）や異径継手（インクリーザ）を使用しており、傾斜板２ｃと貯水板２ｆも、それらの部材を挟みこんで固定する構造あることが示されており、現地での組込も簡便であり、経済性に優れた、効率のよい雨水採取器であることがわかる。
すなわち、立樋を流下する雨水に含まれる異物を除去するとともに、効率よく雨水を採取でき、安価で簡便な雨水採取器の提供を可能にした。
同時に雨水採取器を設置したことによる集中豪雨時の不具合、特に流路減少による流下障害が生じない配慮もなされている。
【産業上の利用可能性】
【００１３】  以上のように、傾斜板の効果と傾斜板に交差するフィルタの設置によって、立樋を流下する雨水に含まれる異物を除去しつつ、効率よく雨水を採取し、かつ、安価で簡便に取り付けられる雨水採取器のであることから、一般家庭での雨水利用を促進する効果は大きく、かつ経済効果が高い。
また、雨水利用による水道水の節水によって、ＣＯ２の排出抑制が図られる。
さらに、雨水貯水タンクの普及は、ミニダムとも呼ばれ、下水道設備の負担軽減効果も期待されている。すなわち、本考案が寄与する産業上の利用価値は高い。
【図面の簡単な説明】
【００１４】
【図１】この考案の雨水採取器の実施例を示す図である。
【図２】この考案の雨水採取器の部品構成図である。
【図３】この考案の雨水採取器の組立手順を示す図である。
【図４】この考案の傾斜板の実施例を示す図である。
【図５】この考案の貯水板の実施例を示す図である。
【符号の説明】
【００１５】１：立樋
１ａ：切断した立樋の上部
１ｂ：切断した立樋の下部
１ｃ：立樋の切断部
２：雨水採取器の本体
２ａ：固定部材
２ｂ：上継手部材
２ｃ：傾斜板
２ｄ：管体部材
２ｅ：フィルタ
２ｆ：貯水板
２ｇ：下継手部材
３ａ：固定ネジ
３ｂ：上止めネジ
３ｃ：上ナット
３ｄ：下止めネジ
３ｅ：下ナット
４ａ：上開口流路
４ｂ：下開口流路
４ｃ：取水流路
Ｈ：貯水高さ
【図１】
0003154514.tif 000003
【図２】
0003154514.tif 000004
【図３】
0003154514.tif 000005
【図４】
0003154514.tif 000006
【図５】
0003154514.tif 000007